(57)【要約】【課題】使い勝手を良くする。【解決手段】操作筒３と本体筒２が一方向に相対回転されると、筒状体４の雌螺子４ｃ及び移動体６の雄螺子６ｂより構成される螺合部と、移動体６の係合部６ｅ及び操作筒３の突出部３ｃの係合部３ｄより構成される回り止め部とによって移動体６が前進し、塗布用充填物Ｌを先端側に押し出して塗布可能とし、この前進時に、筒状に構成されてクリック歯１２ａ及び圧縮バネ部１２ｂを備えその内側を移動体６が通過するようにして配置されると共に筒状体４と操作筒３の内部３ｆとの間に挟み付けられたクリックバネ部材１２によって構成されるクリック機構１１により、クリック感を生じさせ、一方、操作筒３と本体筒２が逆方向に相対回転されると、螺合部及び回り止め部により移動体６が後進し、この後進時にクリック機構１１によりクリック感を生じさせ、移動体６の前進具合、戻し具合を使用者に感知可能とする。【選択図】  図１
2006150098.tif 000002
【特許請求の範囲】
【請求項１】
容器内の充填領域に充填された塗布用充填物を、前記容器内に配設された移動体が前進することで先端側に押し出し可能とされた塗布用充填物押出容器であって、
前記容器は、有底筒に構成され容器後部を構成する操作筒と、
この操作筒の先端側に相対回転可能とされた本体筒と、を具備し、
前記本体筒の内周の途中部分において回転不能且つ軸線方向移動不能に配置され、内周に雌螺子を有する筒状体が設けられ、
前記移動体には、外周に前記雌螺子と螺合する雄螺子が設けられ、
前記操作筒の底部には、軸線方向に延びるように突出部が設けられ、
前記操作筒の前記突出部に設けられた係合部に前記移動体に設けられた係合部が回転不能且つ軸線方向移動可能に係合し、これらの係合部により前記移動体の回り止め部が構成され、
筒状に構成されクリック歯及び圧縮バネ部を備えたクリックバネ部材が、その内側を前記移動体が通過するようにして配置されると共に、前記筒状体と前記操作筒の内部との間に挟み付けられて、クリック機構が構成され、
前記操作筒と前記本体筒とが一方向／この一方向の反対方向である他方向に相対回転されると、前記雌螺子、前記雄螺子より構成される螺合部及び前記回り止め部により前記移動体が前進／後進し、この際に前記クリック機構によりクリック感が生じることを特徴とする塗布用充填物押出容器。
【請求項２】
前記クリック歯は、周方向に沿って登り傾斜と下り傾斜を有する山型に構成されていることを特徴とする請求項１記載の塗布用充填物押出容器。
【請求項３】
前記クリックバネ部材は、そのクリック歯が前記操作筒の底部側を向くように配置され、
前記操作筒の内部に、前記クリック歯とクリック係合する所定の係合部が設けられていることを特徴とする請求項１又は２記載の塗布用充填物押出容器。
【請求項４】
前記塗布用充填物は、液状充填物であることを特徴とする請求項１〜３の何れか一項に記載の塗布用充填物押出容器。
【発明の詳細な説明】
【技術分野】
【０００１】
本発明は、塗布用充填物を押し出して塗布するための塗布用充填物押出容器に関する。
【背景技術】
【０００２】
従来、容器に内蔵された例えば液状充填物を始めとした塗布用充填物を押し出して使用に供する移動体繰出装置として、塗布用充填物が充填される充填領域を内部に備える本体筒と、この本体筒の後端部に相対回転自在に設けられる操作筒と、を備え、本体筒と操作筒が相対回転されると、本体筒及び操作筒内に収容されている移動体が前進し、この移動体の先端に設けられているピストンが前進することで塗布用充填物が先端側に押し出され、本体筒の先端に装着されている吐出蓋の開口を通して塗布用充填物が吐出されこの開口を覆う塗布体を介して被塗布部に塗布することが可能な移動体繰出装置が知られている（例えば、特許文献１参照）。
【特許文献１】特開２００４−８９６８７号公報
【発明の開示】
【発明が解決しようとする課題】
【０００３】
ここで、上記移動体繰出装置において移動体が後進するものも考えられているが、このような移動体が後進する移動体繰出装置にあって、使い勝手の良いものが求められている。
【０００４】
本発明は、このような課題を解決するために成されたものであり、使い勝手の良い塗布用充填物押出容器を提供することを目的とする。
【課題を解決するための手段】
【０００５】
本発明による塗布用充填物押出容器は、容器内の充填領域に充填された塗布用充填物を、容器内に配設された移動体が前進することで先端側に押し出し可能とされた塗布用充填物押出容器であって、容器は、有底筒に構成され容器後部を構成する操作筒と、この操作筒の先端側に相対回転可能とされた本体筒と、を具備し、本体筒の内周の途中部分において回転不能且つ軸線方向移動不能に配置され、内周に雌螺子を有する筒状体が設けられ、移動体には、外周に雌螺子と螺合する雄螺子が設けられ、操作筒の底部には、軸線方向に延びるように突出部が設けられ、操作筒の突出部に設けられた係合部に移動体に設けられた係合部が回転不能且つ軸線方向移動可能に係合し、これらの係合部により移動体の回り止め部が構成され、筒状に構成されクリック歯及び圧縮バネ部を備えたクリックバネ部材が、その内側を移動体が通過するようにして配置されると共に、筒状体と操作筒の内部との間に挟み付けられて、クリック機構が構成され、操作筒と本体筒とが一方向／この一方向の反対方向である他方向に相対回転されると、雌螺子、雄螺子より構成される螺合部及び回り止め部により移動体が前進／後進し、この際にクリック機構によりクリック感が生じることを特徴としている。
【０００６】
このような塗布用充填物押出容器によれば、操作筒と本体筒とが一方向に相対回転されると、筒状体の雌螺子及び移動体の雄螺子より構成される螺合部、及び、移動体の係合部及び操作筒の突出部の係合部より構成される回り止め部によって移動体が前進し、充填領域に充填された塗布用充填物が先端側に押し出されて塗布可能とされ、この前進の際に、筒状に構成されてクリック歯及び圧縮バネ部を備えその内側を移動体が通過するようにして配置されると共に筒状体と操作筒の内部との間に挟み付けられたクリックバネ部材によって構成されるクリック機構によりクリック感が生じる一方で、操作筒と本体筒とが一方向の反対方向である他方向に相対回転されると、螺合部及び回り止め部によって移動体が後進し、この後進の際にクリック機構によりクリック感が生じる。従って、移動体の前進具合、戻し具合が使用者に感知され、使い勝手が良くされている。
【０００７】
ここで、上記クリック歯としては、具体的には、周方向に沿って登り傾斜と下り傾斜を有する山型の構成が挙げられる。
【０００８】
また、上記クリック機構としては、具体的には、クリックバネ部材は、そのクリック歯が操作筒の底部側を向くように配置され、操作筒の内部に、クリック歯とクリック係合する所定の係合部が設けられる構成が挙げられる。
【０００９】
また、上記塗布用充填物としては、具体的には、液状充填物が挙げられる。
【発明の効果】
【００１０】
このように本発明による塗布用充填物押出容器によれば、移動体の前進具合、戻し具合が使用者に感知されるため、使い勝手の良い塗布用充填物押出容器を提供することが可能となる。
【発明を実施するための最良の形態】
【００１１】
以下、本発明による塗布用充填物押出容器の好適な実施形態について図１〜図２６を参照しながら説明する。なお、各図において、同一の要素には同一符号を付し、重複する説明は省略する。
【００１２】
図１は、本発明の実施形態に係る塗布用充填物押出容器を示す縦断面図、図２は、移動体の最大前進時の塗布用充填物押出容器を示す縦断面図、図３及び図４は、本体筒を示す各縦断面図、図５〜図８は、操作筒を示す各図、図９〜図１２は、移動体を示す各図、図１３及び図１４は、螺子筒を示す各図、図１５及び図１６は、クリックバネ部材を示す各斜視図、図１７は、充填部材を示す縦断斜視図、図１８は、塗布用充填物押出容器の組立手順を示す分解斜視図、図１９は、塗布用充填物押出容器の使用による塗布体及び塗布用充填物の状態変化を示す各説明図、図２０は軸体捩切れ防止機構の他の例を示す縦断斜視図、図２１は、塗布体の他の例を示す斜視図、図２２は、塗布体のさらに他の例を示す状態変化図、図２３は、充填部材及び塗布体のさらに他の例を示す図、図２４及び図２５は、充填部材及び塗布体のさらに他の例を示す図、図２６は、図２４及び図２５中の容器内の弾性体を示す図であり、本実施形態の塗布用充填物押出容器は、塗布用充填物を収容すると共に適宜使用者の操作により押し出し可能とするものである。
【００１３】
ここでは、塗布用充填物として、特に好適であるとして例えばリップグロスが用いられているが、これに限定されるものではなく、リップ、アイカラー、アイライナー、美容液、洗浄液、ネールエナメル、ネールケア溶液、ネールリムーバー、マスカラ、アンチエイジング、ヘアーカラー、頭髪用化粧料、オーラルケア、マッサージオイル、角栓ゆるめ液、ファンデーション、コンシーラー、スキンクリーム、マーキングペン等の筆記用具等のインク、液状の医薬品、泥状物等を始めとした液状や、ゼリー状、ペースト状を含む練り状等の半固体や、固体等を用いることが可能であり、特に高粘度の塗布用充填物とするのが本発明を実現する上で好ましい。
【００１４】
図１及び図２に示すように、塗布用充填物押出容器１００は、塗布用充填物Ｌが充填される充填領域１ｘを内部に備えた先筒である充填部材１と、その前半部に充填部材１の後半部を内挿して当該充填部材１を回転不能且つ軸線方向移動不能に連結する本体筒２と、この本体筒２の後端部に相対回転自在且つ軸線方向移動不能に連結された操作筒（容器後部）３と、充填部材１の先端部を構成し塗布用充填物Ｌを塗布するための塗布体１０と、を外形構成として具備し、以下、容器内に、先端部に弾性体９を備え本体筒２又は充填部材１と操作筒３とを相対回転すると軸線方向に前進／後進する移動体６と、この相対回転による移動体６の移動を可能とする螺合機構としての螺子筒（筒状体）４と、正逆方向の相対回転に同期してクリック感を付与するクリック機構１１とを概略備えている。
【００１５】
図３及び図４に示すように、本体筒２は、円筒状に構成され、その軸線方向中央部の内周面に、周方向に多数の凹凸状が並設されて当該凹凸状が軸線方向に所定長延びるローレット２ａを有している。このローレット２ａは、その前半部が充填部材１を回転方向に係合するためのもので、その後半部が螺子筒４を回転方向に係合するためのものである。また、本体筒２の先端部の内周面には、充填部材１を軸線方向に係合するための環状突部２ｂが設けられている。さらに、本体筒２の後部側の内周面には、周方向に沿って円弧状に延びる二個の突部２ｃが形成されていると共に、この円弧状突部２ｃより前側の位置に、周方向に沿って円弧状に延びる二個の突部２ｄが形成されている。円弧状突部２ｃは操作筒３を、円弧状突部２ｄは螺子筒４を、各々軸線方向に係合するためのものであり、これらの円弧状突部２ｃと円弧状突部２ｄは、軸線方向に重ならない位置に設けられている。
【００１６】
操作筒３は、図５〜図８に示すように、有底円筒状に構成され、先端側に外径が小径とされる先端筒部３ａを備え、この先端筒部３ａの外周面に、図５、図７及び図８に示すように、本体筒２の円弧状突部２ｃに軸線方向に係合するための環状溝部３ｂを備えている。
【００１７】
この操作筒３には、図５〜図８に示すように、その底部中央に、先端側に向かうように軸体（突出部）３ｃが立設されている。この軸体３ｃは、円柱体の外周面に周方向に沿う六等配の位置に半径方向外方に突出するように配置されて軸線方向に延びる突条（係合部）３ｄを備える横断面非円形形状とされ、この突条３ｄが、移動体６の回り止め機構（回り止め部）の一方を構成する回り止めとされている。
【００１８】
また、操作筒３は、図６〜図８に示すように、その内周面に、底部から先端側に向かって延びる突条３ｅを周方向に沿って八等配の位置に備えている。この突条３ｅは、その先端部３ｆが、クリック機構１１を構成する所定の係合部とされている。そして、本実施形態では、この突条３ｅの先端部３ｆの先端面は、全て一方向に傾斜する傾斜面とされている。
【００１９】
さらに、操作筒３の底面で軸体３ｃの周縁には、先端側に短尺に突出し、移動体６の最大後退時において当該移動体６に回転方向に係合するための凸状部としての突部３ｇが設けられている。この突部３ｇは、軸体３ｃに過度の回転力が作用した時の当該軸体３ｃの捩切れを防止する軸体捩切れ防止機構の一方を構成するもので、軸体３ｃの各突条３ｄの後端部に連ねて設けられている。
【００２０】
この操作筒３は、図１及び図２に示すように、その先端筒部３ａから本体筒２に内挿され、先端筒部３ａとこれより後側の有底部との間の段差面が本体筒２の後端面に突き当てられ、その環状溝部３ｂが本体筒２の円弧状突部２ｃに係合することで、本体筒２に回転自在且つ軸線方向移動不能に装着されている。
【００２１】
螺子筒４は、図１３及び図１４に示すように、外側の円筒状を成す筒状体４ａの先端側に、内側の円筒状を成す筒状体４ｂを連設して成る形状を呈し、内側の筒状体４ｂの内周面に、螺合機構（螺合部）の一方を構成する雌螺子４ｃを備えている。この螺子筒４を構成する外側の筒状体４ａの外周面には、周方向の複数の位置に、本体筒２のローレット２ａに回転方向に係合するための突条４ｄが先端から後端部に亘って形成されていると共に、後端面寄りの位置に、本体筒２の円弧状突部２ｄに軸線方向に係合するための環状溝部４ｅが形成されている。また、外側の筒状体４ａの内周面には、周方向に多数の凹凸状が並設されて当該凹凸状が軸線方向に延びるローレット４ｆが設けられている。このローレット４ｆは、クリック機構１１を構成するクリックバネ部材１２を回転方向に係合するためのものである。
【００２２】
この螺子筒４は、図１及び図２に示すように、その後端部から本体筒２に内挿され、その環状溝部４ｅが本体筒２の円弧状突部２ｄに係合すると共に、その突条４ｄが本体筒２のローレット２ａに係合することで、本体筒２に回転不能且つ軸線方向移動不能に装着されている。
【００２３】
クリックバネ部材１２は、回転量規制部材を構成し、樹脂による射出成形品とされている。このクリックバネ部材１２は、図１５及び図１６に示すように、略円筒状に構成され、その後端面に、周方向に沿って上記操作筒３の突条３ｅの先端部３ｆに係合する凹凸部が並設されたクリック歯１２ａを有すると共に、このクリック歯１２ａを有する後端部を接続する弾性部としての圧縮バネ部１２ｂを有して一体化されている。クリック歯１２ａは、周方向に沿って登り傾斜と下り傾斜を有する山型に構成されている。また、圧縮バネ部１２ｂは、その周壁に、略螺旋状のスリット１２ｃを備えるもので、このスリット１２ｃにより、押圧されるクリック歯１２ａをその押圧力に抗するように付勢する。また、クリックバネ部材１２の後端部の外周面には、螺子筒４のローレット４ｆに回転方向に係合するための突条１２ｄが周方向に沿って複数設けられている。
【００２４】
このクリックバネ部材１２は、図１及び図２に示すように、その先端部が、螺子筒４の外側の筒状体４ａと内側の筒状体４ｂとの間に位置するようにして螺子筒４内に収容され、その突条１２ｄが螺子筒４のローレット４ｆに係合することで、螺子筒４に対して回転不能とされている。この状態で、クリックバネ部材１２は、螺子筒４の外側及び内側の筒状体４ａ，４ｂを繋ぐ先端部の裏面と操作筒３の突条３ｅの先端部３ｆとの間に挟み付けられて配置されている。そして、クリックバネ部材１２のクリック歯１２ａは、圧縮バネ部１２ｂにより後方側へ付勢され、操作筒３の突条３ｅの先端部３ｆに対してクリック係合の状態にある。
【００２５】
なお、クリックバネ部材１２のクリック歯１２ａ及びこれにクリック係合する操作筒３の突条３ｅの先端部３ｆの形状は、上記のものに限定されるものではなく、要は、正逆方向の相対回転によりクリック係合する形状であれば良い。
【００２６】
移動体６は、図９〜図１２に示すように、先端側に鍔部６ａを有する円筒状に構成され、その鍔部６ａより後側から後端部に亘る外周面に、螺合機構（螺合部）の他方を構成する雄螺子６ｂを備えている。また、移動体６の鍔部６ａより前側の外周面には、図９及び図１２に示すように、弾性体９を軸線方向に係合するための環状突部６ｃが形成されている。また、図１２に示すように、移動体６の鍔部６ａ辺りから後端に亘る内周面には、図１０及び図１２に示すように、周方向に沿って六等配の位置に、放射状に内側に突出するように配置され軸線方向に延びる突条（係合部）６ｅが設けられ、この突条６ｅが、移動体６の回り止め機構（回り止め部）の他方を構成する回り止めとされている。さらに、移動体６の後端面には、図１１及び図１２に示すように、周方向に沿って六等配の位置に、先端側に短尺にへこみ移動体６の内外を連通する凹状部としての溝６ｆが設けられている。これらの溝６ｆは、軸体捩切れ防止機構の他方を構成するもので、移動体６の最大後退時において操作筒３の突部３ｇに進入し回転方向に係合する。
【００２７】
この移動体６は、図１及び図２に示すように、その後端部から操作筒３の軸体３ｃに外挿されると共に螺子筒４の内側の筒状体４ｂに内挿され、その雄螺子６ｂが螺子筒４の雌螺子４ｃと螺合した状態で、その突条６ｅが軸体３ｃの突条３ｄ、３ｄ間に係合し操作筒３に回転不能且つ軸線方向移動可能に装着されている。
【００２８】
弾性体９は、弾性変形し易い例えばシリコンゴム等の軟質弾性材より成形されている。なお、シリコンゴム以外に、ニトリルゴム（ＮＢＲ）、エチレンプロピレンゴム（ＥＰＲ）、ブチルゴム（IIＲ）等の圧縮成形による熱硬化性素材や、ポリウレタン系エラストマー（ＴＰＵ）、ポリオレフィン系エラストマー（ＴＰＯ）、ポリエステル系エラストマー（ＴＰＥＥ）等の射出成形による熱可塑性素材を選択できる。
【００２９】
この弾性体９は、図１に示すように、先端に向けて先細りとされた釣り鐘形状を呈し、後端面から先端側に向けて所定に延びる段付きの凹部９ａを備えていると共に、この凹部９ａの後部側に、移動体６の環状突部６ｃに軸線方向に係合するための環状溝部９ｂ及び環状突部９ｃを軸線方向に有している。また、弾性体９には、その後端部の外周面に、充填部材１の内周面に密着し水密性を確保するための環状突部９ｇが設けられている。
【００３０】
この弾性体９は、その後部側から移動体６に外挿され、その後端面が移動体６の鍔部６ａの先端面に当接し、その環状溝部９ｂ及び環状突部９ｃが、移動体６の環状突部６ｃに係合することで、移動体６に回転自在且つ軸線方向移動不能に装着されている。この状態で、弾性体９内には、凹部９ａに進入した移動体６の先端部により、その前半側に、弾性体９の弾性変形を促進するための空間９ｄが画成されている。この弾性体９は、移動体６が最大に前進すると、充填部材１の先端の塗布体１０の後端部に達するように、寸法、配置等の設定が成されている。
【００３１】
そして、移動体６の雄螺子６ｂ及び螺子筒４の雌螺子４ｃにより螺合機構が構成され、移動体６の突条６ｅ及び軸体３ｃの突条３ｄにより回り止め機構が構成され、クリックバネ部材１２のクリック歯１２ａ及び圧縮バネ部１２ｂと操作筒３の突条３ｅの先端部３ｆによりクリック機構１１が構成され、これらにより構成される塗布用充填物Ｌの押出機構、移動体６及び弾性体９が、本体筒２及び操作筒３から成る本体側筒体に内蔵され本体側組立体４０が構成されている（図１８参照）。
【００３２】
充填部材１は、内部の充填領域１ｘに塗布用充填物Ｌを充填するためのものであると共に、当該塗布用充填物Ｌを使用者による操作に従って先端部から吐出するためのものである。この充填部材１の材質は、ポリエチレンテレフタレート（ＰＥＴ）やポリプロピレン（ＰＰ）等の射出成形されたプラスチックであることが好ましく、塗布用充填物Ｌの色調や充填状況を確認できるため透明材であることが好ましい。
【００３３】
この充填部材１は、図１、図２及び図１７に示すように、円筒状を成し、先端部の外面１ａが、所定の方向に傾斜する傾斜面とされている。また、この充填部材１の先端部には、外面１ａに対して一定の肉厚を隔てて傾斜面とされる内面１ｂが形成されていると共に、当該内面１ｂと外面１ａとを連通する開口１ｃが設けられている。
【００３４】
また、充填部材１の外周面には、軸線方向略中央部に、本体筒２の先端側の開放端に突き当てるべく外径が大径とされた鍔部１ｄが設けられると共に、この鍔部１ｄ寄りの前側の位置に、充填部材１の鍔部１ｄより前側を覆うキャップ７（図１参照）を着脱可能に軸線方向に係止するための環状突部１ｅが設けられている。また、充填部材１の外周面には、鍔部１ｄ寄りの後側の位置に、本体筒２の環状突部２ｂに軸線方向に係合するための環状溝部１ｇ及び環状突部１ｆが軸線方向に並設されていると共に、後端部の位置に、軸線方向に延びる突条１ｈが周方向の四等配の位置に各々形成されている。この突条１ｈは、本体筒２のローレット２ａに回転方向に係合するためのものである。さらに、図１７に示すように、充填部材１の後端部の内周面には、後側に開放されて短尺に先端側に向かう空気抜き溝１ｉが設けられている。
【００３５】
この充填部材１は、その後部側から本体筒２に内挿され、図１及び図２に示すように、鍔部１ｄの後端面が本体筒２の先端側の開放端に当接し、環状溝部１ｇ及び環状突部１ｆが、本体筒２の環状突部２ｂに係合すると共に、突条１ｈが、本体筒２のローレット２ａに係合することで、本体筒２に回転不能且つ軸線方向移動不能に装着され、当該本体筒２と一体化されている。また、この充填部材１に対しては、図１に示すように、キャップ７が装着可能とされている。
【００３６】
充填部材１は、その先端部に、図１、図２及び図１７に示すように、塗布用充填物Ｌを塗布するための塗布体１０を備えている。この塗布体１０は、ゴム材又はエラストマー材等より成る弾性体であり、図１７に示すように、中央部付近が盛り上がるように湾曲する湾曲円板状の塗布部１０ａと、この塗布部１０ａの周縁側の裏面に後側に突出するように連設された環状の装着部１０ｂと、を備えている。
【００３７】
塗布部１０ａには、その内面と外面とを連通し、塗布用充填物Ｌを吐出するための吐出口１０ｃが設けられ、装着部１０ｂには、塗布部１０ａ側の根元位置の外周面に軸心側へ凹む環状溝部１０ｄが、充填部材１の開口１ｃを形成する周縁部１ｊに係合するものとして設けられている。
【００３８】
この塗布体１０は、その装着部１０ｂを軸心側に撓ませて充填部材１の開口１ｃに内挿され、図１及び図２に示すように、当該装着部１０ｂの後端部が充填部材１内に進入し、その環状溝部１０ｄが、充填部材１の開口１ｃを形成する周縁部１ｊに係合することで、充填部材１に離脱不能に装着されて開口１ｃに位置する構成とされている。この塗布体１０の塗布部１０ａは、被塗布部に押し当てられると後方へ凹むように弾性変形し、被塗布部から離間されると元の位置に弾性復帰する。
【００３９】
このような構成を有する塗布用充填物押出容器１００を組み立てる場合には、操作筒３にクリックバネ部材１２を収容するようにして載置し、一方、移動体６の先端部に螺子筒４を螺子込み、この移動体６の先端に弾性体９を装着し、この弾性体９及び螺子筒４を有する移動体６を、操作筒３の軸体３ｃに連結し、この組立体に本体筒２を押し込み装着することで、図１８に示す本体側組立体４０が得られる。
【００４０】
一方、充填部材１にあっては、塗布体１０の吐出口１０ｃを止栓１３で塞ぎ逆さにした状態で、充填領域１ｘに所定量の塗布用充填物Ｌを充填し満たして充填部材１の先端内に空間が無い状態とする。そして、この塗布用充填物Ｌが充填された充填部材１を、本体側組立体４０の先端側に挿入し装着する。この時、充填部材１は、その内周面が、弾性体９の水密性を確保するための環状突部９ｇに摺接しながら初期位置にセットされ、その内周面の空気抜き溝１ｉが、環状突部９ｇを軸線方向に横切るようにして位置するため、当該空気抜き溝１ｉを通して塗布用充填物側の空気が後方側へ良好に抜かれる。そして、最後に、止栓１３を取り外す。なお、止栓１３に代えて、充填後及び使用者が使用する直前に取り外しができる粘着剤が塗布されたシールを、塗布用充填物Ｌの充填前に塗布体１０の吐出口１０ｃに貼付するようにしても良い。
【００４１】
このように構成された塗布用充填物押出容器１００によれば、塗布用充填物Ｌが充填された充填部材１が、本体側組立体４０の先端側に挿入されて装着される構成のため、塗布用充填物Ｌを充填部材１に充填後の組み立てが容易であると共に、この塗布用充填物Ｌが、充填部材１の先端部を構成する塗布体１０の吐出口１０ｃの内側と、本体側組立体４０の移動体６の先端に装着されている弾性体９との間の充填領域１ｘに、十分に（一杯に）満たされた状態とされている。
【００４２】
次に、このように構成された塗布用充填物押出容器１００の使用について説明する。この塗布用充填物押出容器１００にあっては、使用者により本体筒２又は充填部材１と操作筒３とが一方向／この一方向の反対方向である他方向に相対回転されると、前述した螺合機構及び回り止め機構により移動体６が前進／後進し、この時、この相対回転に従って、前述したクリック機構１１を構成する操作筒３の突条３ｅの先端部３ｆと当該先端部３ｆ側に付勢されるクリックバネ部材１２のクリック歯１２ａとがクリック係合を繰り返すため、使用者にはクリック感が与えられ、当該クリック感により移動体６の前進具合、戻し具合が感知される。
【００４３】
そして、上記塗布用充填物押出容器１００を購入した後の初回の塗布時にあって、使用者が本体筒２又は充填部材１と操作筒３とをクリック感を伴いながら一方向に相対回転し移動体６を前進させると、前述したように、塗布用充填物Ｌが充填部材１の先端部を構成する塗布体１０の吐出口１０ｃの内側と本体側組立体４０の移動体６の弾性体９との間の充填領域１ｘに十分に満たされているため、相対回転を必要以上に繰り返すこと無く迅速に（直ちに）、図１９（ａ）に示すように、塗布用充填物Ｌが塗布体１０の吐出口１０ｃから吐出される。従って、顧客満足度が高められた塗布用充填物押出容器１００とされている。
【００４４】
使用者は、この状態で、図１９（ｂ）に示すように、塗布体１０の塗布部１０ａを被塗布部Ａに押し当てて塗布用充填物Ｌを被塗布部Ａに塗布する。この時、塗布体１０の塗布部１０ａは、被塗布部Ａへの押し当てにより後方へ凹むように（潰れるように）弾性変形する。このように塗布体１０の塗布部１０ａが弾性変形するため、肌等の被塗布部Ａに当たる感触が柔らかく良好である。また、塗布体１０の塗布部１０ａが押し潰れることにより、内圧が上がり、塗布用充填物Ｌが適量吐出され、使用量が確保される。
【００４５】
そして、塗布が終わり、塗布体１０が被塗布部Ａから離間されると、図１９（ｃ）に示すように、塗布体１０の塗布部１０ａは、元の位置（図１９（ａ）参照）に弾性復帰する。この時、塗布体１０の塗布部１０ａの吐出口１０ｃを含む内側には、所定の空間Ｂが形成される。
【００４６】
従って、携行時等の非使用時に、充填部材１の充填領域１ｘに充填された塗布用充填物Ｌ及び当該塗布用充填物Ｌに混入する空気が、温度変化や気圧の変化により膨張しても、上記所定の空間Ｂにより、塗布用充填物Ｌが塗布体１０から漏出することが防止されている。このため、品質が高められた塗布用充填物押出容器１００とされている。
【００４７】
なお、図１８で説明した塗布用充填物押出容器１００の組立手順において、充填領域１ｘの塗布用充填物Ｌを、塗布体１０の塗布部１０ａを凹ませた状態で充填すると、充填後に塗布体１０の塗布部１０ａが弾性復帰して塗布用充填物Ｌの充填後から上記所定の空間Ｂが形成された塗布用充填物押出容器１００とされるため、この時点すなわち製品組立後から、塗布用充填物Ｌの塗布体１０からの漏出が防止されるようになる。
【００４８】
また、本実施形態の塗布用充填物押出容器１００によれば、図２に示すように、使用者による本体筒２又は充填部材１と操作筒３との相対回転により移動体６が最大に前進すると、弾性体９が、充填部材１の先端部に装着されている塗布部１０のその装着部１０ｂの後端部に当接し、この円環状を成して傾斜する後端部に倣って弾性変形する。この時、弾性体９内の空間９ｄにより当該弾性体９は一層好適に弾性変形する。そして、このような弾性体９の弾性変形により、従来の移動体では押し出せない略ひずめ形（斜円柱状）の空間（容器先端内の傾斜面を含む空間）に残る塗布用充填物Ｌが、無駄無く十分に押し出されて消費される。このため、使い残しが低減される経済的な塗布用充填物押出容器１００とされている。
【００４９】
また、塗布用充填物押出容器１００によれば、充填部材１の外周面の係止部である環状溝部１ｇ及び環状突部１ｆと本体筒２の内周面の係止部である環状突部２ｂ、充填部材１の外周面の係止部である突条１ｈと本体筒２の内周面の係止部であるローレット２ａとが、他の部材を介すること無く直接係止される構成のため、塗布用充填物押出容器１００を細くすることが可能とされている。このため、見映え及び使用感が高められた塗布用充填物押出容器１００とされている。
【００５０】
また、塗布用充填物押出容器１００によれば、クリック機構１１により使用者に与えられるクリック感によって、移動体６の前進具合、戻し具合が使用者に感知される。このため、使い勝手の良い塗布用充填物押出容器１００とされている。
【００５１】
ここで、本実施形態では、使用者が本体筒２又は充填部材１と操作筒３とをクリック感を伴いながら一方向の反対方向である他方向に相対回転すると、移動体６が後進するため、最大後退位置にある移動体６にそれ以上後退させようとする相対回転力が使用者により付与されると、この移動体６に係合する軸体３ｃが操作筒３の底面において捩切れる虞がある。しかしながら、本実施形態にあっては、移動体６の最大後退時において操作筒３の底面の複数の突部３ｇと移動体６の後端面の複数の溝６ｆとが回転方向に係合するため、軸体３ｃに作用するそれ以上移動体６を後退させようとする回転力は、移動体６の溝６ｆを介して操作筒３の突部３ｇにも与えられて分散され、軸体３ｃの捩切れが防止されている。このため、品質が一層高められた塗布用充填物押出容器１００とされている。
【００５２】
なお、軸体３ｃの捩切れを防止するための移動体６の溝６ｆに代えて凹状部である凹部を設け、当該凹部が操作筒３の突部３ｇに回転方向に係合する構成としても良い。
【００５３】
また、軸体捩切れ防止機構の他の例として、上記の軸体捩切れ防止機構とは逆に、図２０に示すように、移動体６の後端面に、後方に突出する凸状部６ｈを周方向に沿って複数箇所設け、操作筒３の底面で軸体３ｃの周縁に、移動体６の最大後退時において当該移動体６の凸状部６ｈが進入し回転方向に係合する凹状部３ｈを複数設けるようにしても良い。
【００５４】
また、図１７に示す塗布体１０に代えて、図２１に示すように、塗布用充填物Ｌを吐出するための吐出口１５ｃを複数有する塗布体１５を用いても良い。
【００５５】
また、図１７に示す塗布体１０に代えて図２２に示す塗布体２１を用いても良い。この塗布体２１は、図２２（ｂ）に示すように、略円柱体を成すと共にその先端面の中央部付近が盛り上がるように湾曲する構成とされ、その中央に、塗布用充填物Ｌを吐出するための吐出口２１ｃが軸線方向に貫通するように設けられている。また、塗布体２１の後端面の周縁部には、後端面から先端側に所定長凹設された環状溝部２１ｅが設けられている。この環状溝部２１ｅは、塗布体２１を充填部材１の開口１ｃに圧入する際に、当該環状溝部２１ｅより外側部分を軸心側に撓ませて圧入し易くするためのものである。また、塗布体２１の外周面には、軸心側へ凹む環状溝部２１ｄが、充填部材１の開口１ｃを形成する周縁部１ｊに係合するものとして設けられている。
【００５６】
そして、塗布体２１は、充填部材１の開口１ｃに圧入され、その環状溝部２１ｄが、充填部材１の開口１ｃを形成する周縁部１ｊに係合することで、充填部材１に離脱不能に装着され、充填部材１の開口１ｃに位置する構成とされている。
【００５７】
この塗布体２１は、図２２（ａ）に示すように、塗布時に被塗布部Ａに押し当てられると後方へ凹むように弾性変形し、被塗布部Ａから離間されると元の位置に弾性復帰し、図２２（ｂ）に示すように、塗布後において塗布体２１の内側（後方）に所定の空間Ｂが形成される。このため、前述した塗布用充填物押出容器１００と同様な効果を得ることができる。なお、図２２に示す例にあっては、充填部材１の開口１ｃを有する先端面は、軸線方向に対して垂直を成す面とされている。
【００５８】
また、図２３に示す充填部材１６及び塗布体１７を用いても良い。この充填部材１６が充填部材１と違う点は、塗布用充填物Ｌを吐出するための開口１６ｃを形成する周縁部が、外側に折り返す環状の折り返し部１６ｄを有する構成とされ、この環状の折り返し部１６ｄにより、塗布体１７を係合するための袋状の環状溝部１６ｅが形成されている点である。また、塗布体１７が塗布体１０と違う点は、吐出口１７ｃを有し外側に湾曲する湾曲円板状の塗布部１７ａの周縁部に、軸心側且つ後側に突出する環状の装着部１７ｂを備えている点である。
【００５９】
そして、塗布体１７は、その装着部１７ｂが充填部材１６の環状溝部１６ｅに進入することで係合し、充填部材１６に離脱不能に装着され、その塗布部１７ａが、充填部材１６の開口１６ｃを覆う構成とされている。このような充填部材１６及び塗布体１７を用いても、前述した塗布用充填物押出容器１００と同様な作用・効果を奏する。
【００６０】
また、図２４〜図２６に示すように、容器を構成する充填部材１８内の弾性体１９により、塗布体２０を弾性復帰する構成としても良い。
【００６１】
この充填部材１８は、本体筒２に回転不能且つ軸線方向移動不能に連結された充填部材本体１８ａと、この充填部材本体１８ａの先端部に装着された充填部材先端部１８ｂと、この充填部材先端部１８ｂに装着されて塗布体２０を保持する塗布体保持部１８ｃと、を備え、全体が略円筒形状を呈している。
【００６２】
充填部材本体１８ａは、充填される塗布用充填物Ｌの大部分を収容するものである。充填部材先端部１８ｂは、塗布用充填物Ｌを吐出するための開口１８ｄを有する先端面が、軸線方向に対して垂直を成す面とされていると共に、この先端面の開口１８ｄから後端面まで連通する吐出通路１８ｅを備えている。この吐出通路１８ｅは、軸線方向略中央部が小径の狭路１８ｆとされていると共に、この狭路１８ｆの前側と後側が大径の拡径路１８ｇ，１８ｈとされている。
【００６３】
塗布体２０は、例えば発泡ウレタンや微細なネット状材等の多孔質材による弾性体であり、外側に湾曲する湾曲円板状を成している。この塗布体２０は、後方側に折曲された周縁部が、充填部材先端部１８ｂの先端部に係合すると共に塗布体保持部１８ｃの先端部に押えられるようにして係合することで充填部材１８に装着され、この充填部材１８の上記開口１８ｄを覆う構成とされている。
【００６４】
また、充填部材先端部１８ｂの前側拡径路１８ｇには、上記弾性体である圧縮バネ１９が配設されている。この圧縮バネ１９は、塗布体２０の裏面と充填部材先端部１８ｂの狭路１８ｆの周縁部との間に挟み付けられて配置され、塗布体２０を常時外側に付勢する構成とされている。
【００６５】
そして、このような構成を有する塗布用充填物押出容器にあっても、塗布用充填物Ｌが充填された充填部材１８が、本体側組立体４０の先端側に挿入されて装着される構成のため、塗布用充填物Ｌを充填部材１８に充填後の組み立てが容易であると共に、この塗布用充填物Ｌが、充填部材１８の先端部を構成する塗布体２０の内側と、本体側組立体４０の移動体６の先端に装着されている弾性体９との間の充填領域１８ｘに、十分に満たされた状態とされている。
【００６６】
従って、この塗布用充填物押出容器にあっても、塗布用充填物押出容器を購入した後の初回の塗布時にあって、使用者が本体筒２又は充填部材１８と操作筒３とをクリック感を伴いながら相対回転し移動体６を前進させると、塗布用充填物Ｌが充填領域１８ｘに十分に満たされていることから、相対回転を必要以上に繰り返すこと無く迅速に、塗布用充填物Ｌが塗布体２０の吐出口として機能する多孔質部分から吐出される。
【００６７】
また、このように塗布用充填物Ｌを吐出した状態で、図１９（ｂ）で説明したのと同様に、塗布体２０を被塗布部Ａに押し当てて塗布用充填物Ｌを被塗布部Ａに塗布すると、塗布体２０は、被塗布部Ａへの押し当てにより圧縮バネ１９の付勢力に抗して後方へ凹むように弾性変形し、塗布が終わり塗布体２０が被塗布部Ａから離間されると、塗布体２０は、圧縮バネ１９の付勢力により図２５に示す元の位置に弾性復帰する。この時、塗布体２０の内側には、所定の空間Ｂが形成されるため、携行時等の非使用時に、充填部材１８に充填された塗布用充填物Ｌ及び当該塗布用充填物Ｌに混入する空気が、温度変化や気圧の変化により膨張しても、上記所定の空間Ｂにより、塗布用充填物Ｌが塗布体２０から漏出することが防止されている。
【００６８】
なお、前述した塗布用充填物押出容器１００の場合と同様に、塗布用充填物Ｌを、塗布体２０を凹ませた状態で充填すると、充填後に塗布体２０が圧縮バネ１９の付勢力により弾性復帰して塗布用充填物Ｌの充填後から上記所定の空間Ｂが形成された塗布用充填物押出容器とされるため、この時点すなわち製品組立後から、塗布用充填物Ｌの塗布体２０からの漏出が防止されるようになる。
【００６９】
また、図２５に示すように、使用者による本体筒２又は充填部材１８と操作筒３との相対回転により移動体６が最大に前進すると、弾性体９が、後側拡径路１８ｈの先端側の傾斜面に当接して弾性変形し、当該弾性体９の先端部が、狭路１８ｆを通して前側拡径路１８ｇに進出するように膨出するため、塗布用充填物Ｌが良好に押し出されて消費される。なお、他の作用・効果に関しては、前述した塗布用充填物押出容器１００と同様である。
【００７０】
以上、本発明をその実施形態に基づき具体的に説明したが、本発明は上記実施形態に限定されるものではなく、例えば、塗布体１０，１５，１７，２０，２１の外面に、細毛等が植設してあっても良く、また、先細のテーパー加工されたポリエステル繊維を束ねて成るブラシを取り付けても良い。
【００７１】
なお、上記雄螺子６ｂには、間欠的に配される突起群又は螺旋状且つ間欠的に配される突起群であって、螺子山と同様な働きをするものを含み、また、上記雌螺子４ｃには、間欠的に配される突起群又は螺旋状且つ間欠的に配される突起群であって、螺子山と同様な働きをするものを含む。
【図面の簡単な説明】
【００７２】
【図１】本発明の実施形態に係る塗布用充填物押出容器を示す縦断面図である。
【図２】本発明の実施形態に係る塗布用充填物押出容器のキャップを外した縦断面図であり、移動体の最大前進時の状態図である。
【図３】図１及び図２中の本体筒を示す縦断面図である。
【図４】図３に示す本体筒の直交縦断面図である。
【図５】図１及び図２中の操作筒を示す側面図である。
【図６】図５に示す操作筒の左側面図である。
【図７】図６のVII-VII矢視図である。
【図８】図６のVIII-VIII線に沿う斜視図である。
【図９】図１及び図２中の移動体を示す側面図である。
【図１０】図９のX-X矢視図である。
【図１１】図９に示す移動体の斜視図である。
【図１２】図１１に示す移動体の縦断斜視図である。
【図１３】図１及び図２中の螺子筒を示す斜視図である。
【図１４】図１３に示す螺子筒の縦断斜視図である。
【図１５】図１及び図２中のクリックバネ部材を後方側から見た斜視図である。
【図１６】図１５に示すクリックバネ部材を側方側から見た斜視図である。
【図１７】図１及び図２中の充填部材を示す縦断斜視図である。
【図１８】図１に示した塗布用充填物押出容器の組立手順を示す分解斜視図である。
【図１９】図１及び図２に示した塗布用充填物押出容器の使用による塗布体及び塗布用充填物の状態変化を示す各説明図である。
【図２０】図１及び図２中の軸体捩切れ防止機構の他の例を示す塗布用充填物押出容器の後端部の縦断斜視図である。
【図２１】図１７中の塗布体の他の例を示す斜視図である。
【図２２】図１７中の塗布体のさらに他の例を示す図であり、使用による塗布体及び塗布用充填物の状態変化を示す各説明図である。
【図２３】図１７に示した充填部材及び塗布体のさらに他の例を示す塗布用充填物押出容器の縦断面図である。
【図２４】図１７に示した充填部材及び塗布体のさらに他の例を示す塗布用充填物押出容器の縦断面図である。
【図２５】図２４に示した塗布用充填物押出容器の移動体の最大前進時の状態図である。
【図２６】図２４及び図２５中の容器内の弾性体を示す斜視図である。
【符号の説明】
【００７３】
１ｘ，１８ｘ…充填領域、２…本体筒、３…操作筒、３ｃ…操作筒の軸体（突出部）、３ｄ…操作筒の軸体の突条（操作筒の突出部の係合部；回り止め部）、３ｆ…操作筒の突条の先端部（操作筒の内部；所定の係合部）、４…螺子筒（筒状体）、４ｃ…螺子筒の雌螺子（螺合部）、６…移動体、６ｂ…移動体の雄螺子（螺合部）、６ｅ…移動体の突条（移動体の係合部；回り止め部）、１１…クリック機構、１２…クリックバネ部材、１２ａ…クリック歯、１２ｂ…圧縮バネ部、１００…塗布用充填物押出容器、Ｌ…塗布用充填物（液状充填物）。
【図１】
2006150098.tif 000003
【図２】
2006150098.tif 000004
【図３】
2006150098.tif 000005
【図４】
2006150098.tif 000006
【図５】
2006150098.tif 000007
【図６】
2006150098.tif 000008
【図７】
2006150098.tif 000009
【図８】
2006150098.tif 000010
【図９】
2006150098.tif 000011
【図１０】
2006150098.tif 000012
【図１１】
2006150098.tif 000013
【図１２】
2006150098.tif 000014
【図１３】
2006150098.tif 000015
【図１４】
2006150098.tif 000016
【図１５】
2006150098.tif 000017
【図１６】
2006150098.tif 000018
【図１７】
2006150098.tif 000019
【図１８】
2006150098.tif 000020
【図１９】
2006150098.tif 000021
【図２０】
2006150098.tif 000022
【図２１】
2006150098.tif 000023
【図２２】
2006150098.tif 000024
【図２３】
2006150098.tif 000025
【図２４】
2006150098.tif 000026
【図２５】
2006150098.tif 000027
【図２６】
2006150098.tif 000028